【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
クライアントデバイスがデータトラフィックのための接続を確立するための方法であって、
証明書の第1のセットの使用を通じてサービングノードを介して、ワイヤレス通信ネットワークとの第1の接続を確立するステップと、
前記クライアントデバイスのためのデータが通信されるべきであると決定するステップと、
前記第1の接続が前記データを通信できないと判定した際に、前記クライアントデバイスのための前記データを通信するために第2の接続が確立される必要があるかどうかを決定するステップと、
前記第2の接続が確立される必要がある場合、証明書の第2のセットの使用を通じて前記サービングノードを介して前記第2の接続の確立をネゴシエートするステップとを備える、方法。
【請求項２】
前記第1の接続が前記データを通信するために使用され得るという前記判定が、前記データを記述する情報に基づく、請求項1に記載の方法。
【請求項３】
証明書の前記第2のセットが前記データと関連付けられ、
前記第2の接続の前記確立のネゴシエーションが、証明書の前記第2のセットを選択するステップを備える、請求項1に記載の方法。
【請求項４】
証明書の前記第2のセットの前記選択が、前記データを記述する情報に基づく、請求項3に記載の方法。
【請求項５】
証明書の前記第2のセットの前記選択が、アプリケーション識別子(ID)、サービスID、契約ID、またはトラフィックフィルタの少なくとも1つを備えるトラフィック識別情報に基づく、請求項3に記載の方法。
【請求項６】
前記第2の接続の前記確立のネゴシエーションが、証明書の前記第2のセットの少なくとも1つを含む要求を送信するステップを備える、請求項1に記載の方法。
【請求項７】
証明書の前記第2のセットが、アプリケーション、サービス、サービスプロバイダ、無線ベアラ、仮想ワイヤレス通信ネットワーク、または動的仮想移動体通信事業者(DMVNO)の少なくとも1つと関連付けられる、請求項1に記載の方法。
【請求項８】
証明書の前記第2のセットが、所有主体識別子、コンテンツプロバイダ識別子、アプリケーション識別子、所有主体ポリシー、セキュリティ証明書、対応するトラフィックのための課金主体の識別情報、または対応するトラフィックのための認可主体の識別情報の少なくとも1つを含む、請求項1に記載の方法。
【請求項９】
前記第2の接続の前記確立のネゴシエーションが、証明書の選択されたセット、または前記データを記述する情報の少なくとも1つに基づく、請求項1に記載の方法。
【請求項１０】
前記第1の接続の前記確立が、証明書の前記第1のセットに基づいてトラフィックの結びつきを作成するステップを備える、請求項1に記載の方法。
【請求項１１】
前記第2の接続の前記確立が、証明書の前記第2のセットに基づいてトラフィックの結びつきを作成するステップを備える、請求項1に記載の方法。
【請求項１２】
前記トラフィックの結びつきの前記作成が、特定のトラフィックフローテンプレート(TFT)を作成するステップ、拡張されたTFTを作成するステップ、前記クライアントデバイスにおいて前記トラフィックの結びつきについての情報を受信するステップ、または、無線アクセスネットワーク(RAN)において前記トラフィックの結びつきについての情報を受信するステップの少なくとも1つを備える、請求項11に記載の方法。
【請求項１３】
前記トラフィックの結びつきの前記作成が、前記データの少なくとも1つのデータパケットに追加されるべきパケットマーキングを定義するステップを備える、請求項11に記載の方法。
【請求項１４】
前記パケットマーキングが、アプリケーション識別子(ID)、サービスID、所有主体(OE)ID、契約ID、またはサービスプロバイダIDの少なくとも1つを含む、ディフサーブコードポイント(DSCP)マーキングを備える、請求項13に記載の方法。
【請求項１５】
前記トラフィックの結びつきが、アプリケーション、サービス、または契約の少なくとも1つへの、特定のサービスベアラ識別子(ID)のマッピングを備える、請求項11に記載の方法。
【請求項１６】
前記特定のサービスベアラIDが、前記結びつきの作成の際に特定のトラフィックのためにネットワークによって割り振られる専用の無線アクセスベアラ識別子(RAB ID)、前記データのための修飾子によって補強された既存のRAB ID、前記データのための修飾子によって補強された既存のパケットデータネットワーク(PDN) RAB ID、または、前記データのための修飾子によって補強された汎用的なRAB IDの少なくとも1つを備える、請求項15に記載の方法。
【請求項１７】
前記クライアントデバイスが特定のアプリケーション、サービス、または契約に対応するトラフィックを生成している場合、前記特定のサービスベアラIDを選択するステップをさらに備える、請求項15に記載の方法。
【請求項１８】
前記第1の接続の前記確立が、前記クライアントデバイスがアタッチ手順を実行してデータ接続を確立すること、または、前記クライアントデバイスが証明書の前記第1のセットに基づいて作成されているトランスポート接続に対応するデータトラフィックおよびトラフィック結びつき情報をインストールすることの、少なくとも1つを備える、請求項1に記載の方法。
【請求項１９】
前記第2の接続の前記確立のネゴシエーションが、新たなデータ接続の確立、新たなパケットデータネットワーク(PDN)接続の確立、新たな通信ベアラの確立、または既存の通信ベアラの修正の、少なくとも1つを備える、請求項1に記載の方法。
【請求項２０】
前記サービングノードが、モビリティ管理主体(MME)またはサービング汎用パケット無線サービス(GPRS)サポートノード(SGSN)である、請求項1に記載の方法。
【請求項２１】
通信のための装置であって、
メモリデバイスと、
前記メモリデバイスに結合され、
証明書の第1のセットの使用を通じてサービングノードを介して、ワイヤレス通信ネットワークとの第1の接続を確立し、
前記装置のためのデータが通信されるべきであると決定し、
前記第1の接続が前記データを通信できないと判定した際に、前記装置のための前記データを通信するために第2の接続が確立される必要があるかどうかを決定し、
前記第2の接続が確立される必要がある場合、証明書の第2のセットの使用を通じて前記サービングノードを介して前記第2の接続の確立をネゴシエートする
ように構成される処理回路とを備える、装置。
【請求項２２】
前記処理回路がさらに、前記データを記述する情報に基づいて、前記第1の接続が前記データを通信するために使用され得ると判定するように構成される、請求項21に記載の装置。
【請求項２３】
証明書の前記第2のセットが前記データと関連付けられ、
前記第2の接続の前記確立をネゴシエートするために、前記処理回路がさらに、証明書の前記第2のセットを選択するように構成される、請求項21に記載の装置。
【請求項２４】
証明書の前記第2のセットの前記選択が、アプリケーション識別子(ID)、サービスID、契約ID、またはトラフィックフィルタの少なくとも1つを備えるトラフィック識別情報に基づく、請求項23に記載の装置。
【請求項２５】
前記第1の接続を確立するために、前記処理回路がさらに、証明書の前記第1のセットに基づいてトラフィックの結びつきを作成するように構成される、請求項21に記載の装置。
【請求項２６】
前記第2の接続を確立するために、前記処理回路がさらに、証明書の前記第2のセットに基づいてトラフィックの結びつきを作成するように構成される、請求項21に記載の装置。
【請求項２７】
通信のための装置であって、
証明書の第1のセットの使用を通じてサービングノードを介して、ワイヤレス通信ネットワークとの第1の接続を確立するための手段と、
前記装置のためのデータが通信されるべきであると決定するための手段と、
前記第1の接続が前記データを通信できないと判定した際に、前記装置のための前記データを通信するために第2の接続が確立される必要があるかどうかを決定するための手段と、
前記第2の接続が確立される必要がある場合、証明書の第2のセットの使用を通じて前記サービングノードを介して前記第2の接続の確立をネゴシエートするための手段とを備える、装置。
【請求項２８】
証明書の前記第2のセットが前記データと関連付けられ、
前記第2の接続の前記確立をネゴシエートするために、ネゴシエートするための前記手段が、証明書の前記第2のセットを選択するように構成される、請求項27に記載の装置。
【請求項２９】
証明書の前記第2のセットの前記選択が、アプリケーション識別子(ID)、サービスID、契約ID、またはトラフィックフィルタの少なくとも1つを備えるトラフィック識別情報に基づく、請求項28に記載の装置。
【請求項３０】
コンピュータに、
証明書の第1のセットの使用を通じてサービングノードを介して、ワイヤレス通信ネットワークとの第1の接続を確立させ、
クライアントデバイスのためのデータが通信されるべきであると決定させ、
前記第1の接続が前記データを通信できないと判定した際に、前記クライアントデバイスのための前記データを通信するために第2の接続が確立される必要があるかどうかを決定させ、
前記第2の接続が確立される必要がある場合、証明書の第2のセットの使用を通じて前記サービングノードを介して前記第2の接続の確立をネゴシエートさせる
ための命令を備える、非一時的コンピュータ可読記憶媒体。